(57)【要約】【課題】直感的な操作方法及びこの直感的な操作方法を使用する電子機器を提供することを課題とする。【解決手段】直感的な操作方法及びこの直感的な操作方法を使用する電子機器である。直感的な操作方法は、少なくとも一つのアイテム画像を含む複数の画像を含む仮想環境画面を表示するステップと、電子機器にアイテム画像と対応する機能を実行させるべく、アイテム画像を選択するステップ、とを含み、このうち前記複数の画像は慣用方式で仮想環境画像の中に設置されており、複数の画像は仮想環境画面の空間にて関係性を有することを表している。電子機器は、ディスプレイと演算装置とを備える。ディスプレイは、スタンバイモードにおいて仮想環境画面を表示して、選択信号を感知できる。演算装置はディスプレイに電気的に接続され、機能モジュールを備える。【選択図】  図４
2011165194.tif 000002
【特許請求の範囲】
【請求項１】
電子機器の使用に供する直感的な操作方法であって、前記直感的な操作方法は、
少なくとも一つのアイテム画像を含む複数の画像を含む仮想環境画面を表示するステップと、
電子機器にアイテム画像と対応する機能を実行させるべく、アイテム画像を選択するステップ、とを含み、
このうち前記複数の画像は慣用方式で仮想環境画像の中に設置されており、複数の画像は仮想環境画面の空間にて関係性を有することを表している、ことを特徴とする直感的な操作方法。
【請求項２】
前記複数の画像は背景パターンをさらに含んでおり、前記アイテム画像は慣用方式で前記背景パターン中に配置されており、前記背景パターンは前記仮想環境画面の空間にて前記アイテム画像と関係性を有することを表していることを特徴とする請求項１に記載の直感的な操作方法。
【請求項３】
前記電子機器はディスプレイを備えており、前記仮想環境画面の表示ステップは前記仮想環境画面を前記ディスプレイに表示することを含み、前記アイテム画像の選択ステップは前記ディスプレイ上で前記アイテム画像を選択することを含むことを特徴とする請求項１に記載の直感的な操作方法。
【請求項４】
前記ディスプレイがタッチパネルを備えることを特徴とする請求項３に記載の直感的な操作方法。
【請求項５】
前記電子機器は表示装置に接続されるとともに、センサを備えており、前記仮想環境画面のステップは前記仮想環境画面を前記表示装置にて表示することを含み、前記アイテム画像の選択ステップは使用者が前記アイテム画像を選択した動作を動作センサにより感知することを含むことを特徴とする請求項１に記載の直感的な操作方法。
【請求項６】
前記表示装置が投影機を備えることを特徴とする請求項５に記載の直感的な操作方法。
【請求項７】
前記センサが動作センサを備えることを特徴とする請求項５に記載の直感的な操作方法。
【請求項８】
前記仮想環境画面は現実環境の仮想画面であることを特徴とする請求項１に記載の直感的な操作方法。
【請求項９】
前記仮想環境画面が３Ｄ空間の連続画面を含むことを特徴とする請求項１に記載の直感的な操作方法。
【請求項１０】
更に、前記アイテム画像の選択ステップ前に、前記ディスプレイに前記仮想環境画面の異なる角度画面を表示することを含むことを特徴とする請求項９に記載の直感的な操作方法。
【請求項１１】
前記慣用方式は、前記電子機器の使用者が現実生活の中で、前記アイテム画像が対応する現実物体についての慣用配置方式であることを特徴とする請求項１に記載の直感的な操作方法。
【請求項１２】
前記電子機器は、指示信号を受信でき、直感的な操作方法が前記指示信号に基づいて前記仮想環境画面内の前記アイテム画像の表示を変更することを更に含むことを特徴とする請求項１に記載の直感的な操作方法。
【請求項１３】
前記指示信号が、無線電信信号、又は、無線ネットワーク信号を含むことを特徴とする請求項１２に記載の直感的な操作方法。
【請求項１４】
電子機器であって、
少なくとも一つのアイテム画像を含む複数の画像を含む仮想環境画面を表示し、選択信号を感知できるディスプレイであり、このうち前記複数の画像は慣用方式で仮想環境画像の中に設置されており、複数の画像は仮想環境画面の空間にて関係性を有することを表している、ディスプレイと、
前記ディスプレイに電気的に接続され、機能モジュールを備える演算装置と、を備えており、
前記ディスプレイは、前記選択信号が前記アイテム画像の表示エリアにあると感知した時、前記演算装置が前記アイテム画像と対応する前記機能モジュールを実行するよう指示することを特徴とする電子機器。
【請求項１５】
前記ディスプレイがタッチパネルを備えることを特徴とする請求項１４に記載の電子機器。
【請求項１６】
前記仮想環境画面は現実環境の仮想画面であることを特徴とする請求項１４に記載の電子機器。
【請求項１７】
前記仮想環境画面が３Ｄ空間の連続画面を含むことを特徴とする請求項１４に記載の電子機器。
【請求項１８】
前記慣用方式は、前記電子機器の使用者が現実生活の中で、前記アイテム画像が対応する現実物体についての慣用配置方式であることを特徴とする請求項１４に記載の電子機器。
【請求項１９】
前記電子機器は、指示信号を受信でき、更に前記指示信号に基づいて前記ディスプレイに表示させた前記アイテム画像を変更できることを特徴とする請求項１４に記載の電子機器。
【請求項２０】
前記指示信号が、無線電信信号、又は、無線ネットワーク信号を含むことを特徴とする請求項１９に記載の電子機器。
【発明の詳細な説明】
【技術分野】
【０００１】
本発明は、電子機器及び直感的な操作方法に関し、特に、タッチパネルを備える電子機器及びその直感的な操作方法に関する。
【背景技術】
【０００２】
電子技術の急速的な発展に伴い、バラエティに富んだ各種携帯型電子製品が市場を賑わすようになっており、人々の多面的な業務とエンターテインメントの需要を満たしている。例えば、携帯電話機、モバイルインターネットデバイス（Ｍｏｂｉｌｅ Ｉｎｔｅｒｎｅｔ Ｄｅｖｉｃｅ、ＭＩＤ）、携帯情報端末（Ｐｅｒｓｏｎａｌ Ｄｉｇｉｔａｌ Ａｓｓｉｓｔａｎｔ、ＰＤＡ）、電子書籍、デジタル写真立て、デジタルオーディオプレーヤー、電子辞書、ＧＰＳナビゲーター（Ｇｌｏｂａｌ Ｐｏｓｉｔｉｏｎｉｎｇ Ｓｙｓｔｅｍ Ｎａｖｉｇａｔｏｒ、ＧＰＳ Ｎａｖｉｇａｔｏｒ）がある。体積の小型化と機能増加の以外にも、消費者は外観上の美感及び使用上の便利性も携帯型電子製品を選択する参考根拠とする。このため、携帯型電子製品のタッチパネルは従来の押ボタンに取って代わって入力インターフェースとされる傾向にある。
【０００３】
携帯電話機を例にすると、従来の携帯電話機の操作時、ディスプレイ表示を見ながら同時にボタンを押して、文字の入力又はメニューの選択等の操作を行わなければならない。タッチ機能を備える携帯電話機から言うと、使用者は図１に示されるようなタッチパネル１０に直接文字を入力、又はタッチパネル１０上の機能アイコン６０をタップして電子機器８０にアプリケーションプログラムを実行させることができる。このためタッチ機能を備える電子機器は、入力の便利性及び人に優しい操作性においていずれも向上していることが見られる。しかしながら、電子機器８０の演算機能が日増しに強化されることで、アプリケーションプログラム数が徐々に増え、機能アイコン６０もこれに伴い大幅に増加してきた。これ以外にも、機能アイコン６０の外観についてはデザインの際に、使用者が識別しやすくなることを求めているが、大きさ及びフォーマットの制限を受けるため、機能アイコン６０はお互いの識別性において大幅な改善が難しい。これにより、使用者は往々にして電子機器８０に実行させたい機能に対応する機能アイコン６０を迅速に見つけ出すことができなくなっている。
【発明の概要】
【発明が解決しようとする課題】
【０００４】
本発明の主な目的は、電子機器の使用に供されるもので、使用者が電子機器を操作する時、生活上の直感的な経験により、電子機器に使用者の所望する機能を容易に実行させることができる直感的な操作方法を提供するところにある。
【０００５】
本発明の別の主な目的は、使用者が操作する時、生活上の直感的な経験により電子機器の使用者の所望する機能を容易に実行させることができる電子機器を提供するところにある。
【課題を解決するための手段】
【０００６】
直感的な操作方法及びこの直感的な操作方法を使用する電子機器であって、該電子機器はディスプレイを備える。直感的な操作方法は、少なくとも一つのアイテム画像を含む複数の画像を含む仮想環境画面を表示するステップと、電子機器にアイテム画像と対応する機能を実行させるべく、アイテム画像を選択するステップ、とを含み、このうち前記複数の画像は慣用方式で仮想環境画像の中に設置されており、複数の画像は仮想環境画面の空間にて関係性を有することを表している。
【０００７】
好ましい実施例において、複数の画像は背景パターンをさらに含んでおり、アイテム画像は慣用方式で背景パターン中に配置されており、背景パターンは仮想環境画面の空間にてアイテム画像と関係性を有することを表している。電子機器はディスプレイを備えており、仮想環境画面の表示ステップは仮想環境画面をディスプレイに表示することを含み、アイテム画像の選択ステップはディスプレイ上でアイテム画像を選択することを含む。ディスプレイはタッチパネルを備える。
【０００８】
仮想環境画面は、現実環境の仮想画面である。仮想環境画面には３Ｄ空間の連続画面を含む。直感的な操作方法は、更にアイテム画像の選択ステップ前に、ディスプレイに仮想環境画面の異なる角度画面を表示することを含む。慣用方式とは、アイテム画像が対応する現実物体の現実生活の中における一般的な配置方式である。電子機器は、指示信号を受信できる。直感的な操作方法は、指示信号に基づいて仮想環境画面におけるアイテム画像の表示を変更することを更に含む。指示信号には、無線電信信号又は無線ネットワーク信号を含む。
【０００９】
電子機器は、ディスプレイと演算装置とを備える。ディスプレイは、スタンバイモードにおいて仮想環境画面の表示及び選択信号を感知できる。仮想環境画面には、背景画像と少なくとも１つのアイテム画像とを含み、該アイテム画像を慣用方式で背景画像の中に設置する。演算装置はディスプレイに電気的に接続され、機能モジュールを備える。ディスプレイがスタンバイモードにおいて選択信号がアイテム画像の表示エリアにあると感知した時、演算装置がアイテム画像と対応する機能モジュールを実行するよう指示する。ディスプレイにはタッチパネルを備える。電子機器は、指示信号を受信でき、電子機器は更に指示信号に基づいてディスプレイに表示させるアイテム画像を変更する。
【図面の簡単な説明】
【００１０】
【図１】公知技術を示す図である。
【図２Ａ】本発明の好ましい実施例の回路ブロック図である。
【図２Ｂ】本発明の異なる好ましい実施例の回路ブロック図である。
【図３】本発明の好ましい実施例を示す図である。
【図４】本発明の実施例を示す図である。
【図５】本発明の方法の実施例フローチャートである。
【図６】本発明の方法の好ましい実施例フローチャートである。
【図７】本発明の仮想環境画面の異なる角度画面を表示する実施例を示す図である。
【図８】本発明の異なる仮想環境画面を表示させる実施例を示す図である。
【図９】本発明の複数の使用者が同じ仮想環境画面を使用している実施例を示す図である。
【発明を実施するための形態】
【００１１】
本発明は、電子機器及び直感的な操作方法を提供する。該電子機器は使用者の携帯に便利な特性を備えるものであり、例えば、携帯電話機、モバイルインターネットデバイス、携帯情報端末、電子書籍、デジタル写真立て、デジタルオーディオプレーヤー、電子辞書、ＧＰＳナビゲーター、ノート型パソコンである。しかしながら、異なる実施例においては、電子機器は使用者の携帯に便利な特性を備えるものに限定されず、デスクトップ型パソコン、タブレット型パソコン、マルチメディアテレビ受像機など大型又は重量の重い電子製品としても良い。
【００１２】
図２Ａに示す好ましい実施例の回路ブロック図のように、本発明の電子機器８００には、ディスプレイ１００と、演算装置３００と、機能モジュール５００とを備える。ディスプレイ１００は、スタンバイモードにおいて仮想環境画面の表示及び選択信号を感知できる。ディスプレイ１００としては、好ましくはタッチパネルであり、選択信号としては、好ましくはタッチパネルのタッチ信号である。前記仮想環境画面は少なくとも一つのアイテム画像を含む複数の画像を含んでおり、このうち複数の画像は慣用方式で仮想環境画像の中に設置されており、複数の画像は仮想環境画面の空間にて関係性を有することを表している。具体的に言うと、仮想環境画面は現実環境の仮想画面である。図３に示す好ましい実施例のように、仮想環境画面は一般的な現実のオフィス環境の仮想画面である。壁面２１０、窓２２０、デスク２３０、棚２４０、及びチェアー２５０等が共同で背景パターン２００を構成し、時計４１０、書籍・刊行物４２０、掲示板４３０、レターホルダー４４０、カレンダー４５０、電話機４６０、手帳４７０、及びゴミ箱４８０等がアイテム画像である。言い換えると、好ましい実施例において、複数の画像は背景パターンをさらに含んでおり、アイテム画像は慣用方式で背景パターン中に配置されており、背景パターンは仮想環境画面の空間にてアイテム画像と関係性を有することを表している。このうち、背景パターンは仮想環境画面全体の背景とすることができる。
【００１３】
慣用方式は、電子機器８００の使用者が現実生活の中で、アイテム画像が対応する現実物体についての慣用配置方式である。言い換えると、背景画像の仮想環境画面における空間表示とアイテム画像とが関係性を有し、この関係性としては、一般人の生活直感経験と合致するのが好ましい。例を挙げると、現実生活の中で時計、掲示板が通常壁面に掛けられ、書籍・刊行物が通常棚に陳列され、レターホルダー、カレンダー、電話機、手帳が通常デスクに置かれ、ゴミ箱が常にデスクの下方に配置される。このため、図３に示す仮想環境画面の中で、時計４１０及び掲示板４３０画像が背景画像２００の壁面２１０に設置され、書籍・刊行物４２０画像が背景パターン２００の棚２４０に設置され、レターホルダー４４０、カレンダー４５０、電話機４６０、手帳４７０等の画像が背景パターン２００のデスク２３０に設置され、ゴミ箱４８０画像が背景パターン２００のデスク２３０下方に配置される。アイテム画像は、慣用方式で背景画像の中に設置されるため、使用者は生活に基づく直感的経験により、容易に仮想環境画面の中でアイテム画像を見つけ出すことができる。
【００１４】
図２に示す好ましい実施例の回路ブロック図のように、演算装置３００はディスプレイ１００に電気的に接続され、機能モジュール５００を備えている。具体的に言うと、好ましい実施例において、演算装置３００は電子機器８００のＣＰＵである。しかし、異なる実施例において、演算装置３００は電子機器８００の回路板上の論理演算回路としてもよい。機能モジュール５００としては、好ましくは電子機器８００の演算装置３００が実行するプログラムであり、ディスプレイ１００はスタンバイモードにおいて選択信号がアイテム画像の表示エリアにあると感知した時、演算装置３００がアイテム画像と対応する機能モジュール５００を実行するよう指示する。
【００１５】
例を挙げると、図３に示す好ましい実施例のように、電話機画像と対応する機能モジュールが電話音声通信モジュールであり、ディスプレイ１００が、スタンバイモードにおいて選択信号がディスプレイ１００上の電話機４６０の表示エリアにあると感知した時、演算装置３００は電話音声通信モジュールを実行するよう指示し、使用者は電子機器８００で電話音声通話を行うことができる。手帳４７０と対応する機能モジュールがテキストエディットモジュールであり、ディスプレイ１００がスタンバイモードにおいて選択信号がディスプレイ１００上の手帳４７０の表示エリアにあると感知した時、演算装置３００がテキストエディットモジュールを実行するよう指示し、使用者は電子機器８００で電子テキストエディットを実行できる。言い換えると、本発明を通じて、使用者が生活直感経験により、容易にディスプレイに表示させた仮想環境画面の中でアイテム画像を見つけ出して選択し、電子機器に使用者の所望する機能を実行させることができる。
【００１６】
異なる実施例において、電子機器はディスプレイを備えなくてもよい。図２Ｂに示す異なる実施例の回路ブロック図のように、電子機器８００は演算装置３００と、機能モジュール５００と、センサモジュール７００とを備える。言い換えると、電子機器８００自身はディスプレイを備えておらず、表示装置１１１により仮想環境画面を表示することができる。表示装置１１１は投影機を備え、センサモジュール７００は動作センサを備える。具体的には電子機器８００は仮想環境画面を投影機に出力して投射表示するとともに、使用者がアイテム画像を選択した動作を動作センサにより感知して選択信号を得て、電子機器がアイテム画像に対応する機能を実行するというものである。
【００１７】
図３に示す好ましい実施例において、仮想環境画面は一般的な現実オフィス環境の仮想画面である。しかし、異なる実施例において、仮想環境画面は病院、会議室、工場又は家の居間・部屋等の異なる場所を含むことができ、背景パターン及びアイテム画像を対応させて変更できる。例えば、仮想環境画面が一般的な病院の診療室である場合、背景パターンが一般的な病院の診療室のレイアウトにでき、アイテム画像は時計、掲示板、レターホルダー、カレンダー、電話機、手帳、及びゴミ箱等のほかに、Ｘ線写真を見るためのライトボックス、医学辞書等といった病院診療室でよく見られる物品の画像を含むことができる。更に言うと、仮想環境画面は、使用者のニーズに応じて変更でき、使用者が異なる環境の中で実行したい機能に対応するアイテム画像を迅速に見つけ出すことできる。
【００１８】
好ましい実施例において、電子機器８００は指示信号を受信できる。電子機器８００は更に指示信号に基づいてディスプレイ１００に表示するアイテム画像を変更できる。指示信号には、無線電信信号又は無線ネットワーク信号を含む。例を挙げると、図３において、レターホルダー４４０が空であり、電子機器８００が受信した無線ネットワーク信号の中に電子メール受信通知のメッセージが含まれる時、電子機器８００はディスプレイ１００に表示させたレターホルダー４４０画像を変更して、図４に示すようにレター４４１を有するようになる。この方法を通じて、使用者は新しいメール受信の有無を確認できる。別の面で、電子機器８００は機能モジュールを実行させた結果に基づいてディスプレイ１００に表示させたアイテム画像を変更してもよい。例えば、図３において、掲示板４３０は空で、使用者が掲示板４３０の画像をタッチすると、つまりディスプレイ１００がスタンバイモードにおいて選択信号がディスプレイ１００上の掲示板４３０の表示エリアにあると感知した時、演算装置３００は付箋紙編集モジュールを実行するよう指示する。付箋紙編集モジュールの実行を終了した時、電子機器８００はディスプレイ１００に表示させた掲示板４３０画像を変更して、図４に示すように付箋紙４３１を有することができる。
【００１９】
図５に示すように、本発明の直感的な操作方法には次のステップを含む。
少なくとも一つのアイテム画像を含む複数の画像を含む仮想環境画面を表示するステップ１０１０であり、このうち前記複数の画像は慣用方式で仮想環境画像の中に設置されており、複数の画像は仮想環境画面の空間にて関係性を有することを表している。具体的に言うと、ディスプレイ１００には図３に示すように仮想環境画面を表示させる。仮想環境画面には、壁面２１０、窓２２０、デスク２３０、棚２４０、及びチェアー２５０等が共同で構成した背景パターン２００と、時計４１０と、書籍・刊行物４２０と、掲示板４３０と、レターホルダー４４０と、カレンダー４５０と、電話機４６０と、手帳４７０と、ゴミ箱４８０と等のアイテム画像を含む。言い換えると、好ましい実施例において、複数の画像は背景パターンをさらに含んでおり、アイテム画像は慣用方式で背景パターン中に配置されており、背景パターンは仮想環境画面の空間にてアイテム画像と関係性を有することを表している。このうち、背景パターンは仮想環境画面全体の背景とすることができる。
【００２０】
電子機器にアイテム画像と対応する機能を実行させるべく、アイテム画像を選択するステップ１０３０である。好ましい実施例についていえば、ディスプレイ１００上における図３に示すような時計４１０、書籍・刊行物４２０、掲示板４３０、レターホルダー４４０、カレンダー４５０、電話機４６０、手帳４７０、及びゴミ箱４８０等のアイテム画像をタッチし、ディスプレイ１００が選択信号がアイテム画像の表示エリアにあると感知した時、図２Ａに示す演算装置３００がアイテム画像と対応する機能モジュール５００を実行するよう指示する。しかしながら図２Ｂに示す異なる実施例において、電子装置は使用者がアイテム画像を選択した動作を動作センサにより感知して選択信号を得て、ディスプレイ１００が選択信号がアイテム画像の表示エリアにあると感知した時、図２Ｂに示す演算装置３００がアイテム画像と対応する機能モジュール５００を実行するよう指示する。
【００２１】
図６に示すように、好ましい実施例において、直感的な操作方法は、更にステップ１０３０の前に、ディスプレイに仮想環境画面の異なる角度画面を表示するステップ１０２０を含む。具体的にいうと、好ましい実施例において、仮想環境画面には３Ｄ空間の連続画面を含む。図４に示すように、使用者が右回転アイコン６０１をタップした後、ディスプレイ１００は図７に示すように仮想環境画面を９０°右回転させた画面を表示できる。これにより、仮想環境画面に更にリアル感を持たせることで、電子機器８００の使用において人に優しい操作性を持たせる。別の面で、ディスプレイの仮想環境画面表示角度の調整をアイコンのタップ方式で実現することに限らず、その他の方式でも実現でき、例えば、直接ディスプレイ１００においてドラッグ＆ドロップ又はスライドさせることで、より一層使用の便利性及び人に優しい操作性を向上させる。
【００２２】
異なる実施例において、使用者は特定のアイテム画像をタップして仮想環境画面を変換できる。図７に示すように、使用者はドア扉４９０の画像をタップした後、ディスプレイ１００に表示させた仮想環境画面を図８に示すような会議室に変換させることができる。つまり、使用者にとって、現実生活の中でドア扉を開いて別の空間に入るイメージであり、本発明においてドア扉４９０の画像をタップすることで仮想環境画面を変換して対応できる。別の面で、複数の使用者が更にインターネット等の通信接続を通じてその他の使用者とリンクできる。例を挙げると、これら使用者がこの電子機器８００のディスプレイ１００のドア扉４９０画像を一斉にタップすると、図９に示すように会議室において共同で会議ができる。
【００２３】
前述の記述及び図面に本発明の好ましい実施例を開示したが、各種の追加、若干の改良変更は本発明の好ましい実施例に使用され、添付されている特許請求の範囲内に定義される本発明原理の技術的思想及び範囲を逸脱しない可能性があると理解しなければならない。本発明の属する技術の分野における当業者は、本発明が多くの形式、構造、配置、比例、材料、エレメント及びコンポーネントの改良変更に使用できることを理解できる。このため、本明細書に開示した実施例は本発明を限定することなく、本発明の説明に用いられると見なされる。本発明の範囲は添付されている特許請求の範囲が定義され、またその適法な均等物をカバーし、前の記述に限らない。
【符号の説明】
【００２４】
１０…タッチパネル、６０…機能アイコン、８０…公知の電子機器、１００…ディスプレイ、１１１…表示装置、２１０…壁面、２２０…窓、２３０…デスク、２４０…棚、２５０…チェアー、２００…背景パターン、３００…演算装置、４１０…時計、４２０…書籍・刊行物、４３０…掲示板、４３１…付箋紙、４４０…レターホルダー、４４１…レター、４５０…カレンダー、４６０…電話機、４７０…手帳、４８０…ゴミ箱、４９０…ドア扉、５００…機能モジュール、６０１…右回転アイコン、７００…センサモジュール、８００…電子機器、１０１０…ステップ、１０２０…ステップ、１０３０…ステップ。
【図１】
2011165194.tif 000003
【図２Ａ】
2011165194.tif 000004
【図２Ｂ】
2011165194.tif 000005
【図３】
2011165194.tif 000006
【図４】
2011165194.tif 000007
【図５】
2011165194.tif 000008
【図６】
2011165194.tif 000009
【図７】
2011165194.tif 000010
【図８】
2011165194.tif 000011
【図９】
2011165194.tif 000012